(57)【要約】【課題】通信端末が、強干渉基地局から受信した参照信号に関する情報を強干渉基地局にフィードバックする方法を示す。【解決手段】本発明に係る通信システムは、複数の基地局１００（１００ａ、１００ｂ）と複数の通信端末２００（２００ａ、２００ｂ）とを含む通信システムであって、通信端末２００ａは、通信端末２００ａと通信中の基地局である所望基地局１００ａから受信した参照信号に基づいて所望チャネル行列を演算し、通信端末２００ａへの干渉波の電力が最も大きい基地局である強干渉基地局１００ｂから受信した参照信号に基づいて干渉チャネル行列を演算し、所望チャネル行列および干渉チャネル行列を、上りメッセージにより、所望基地局１００ａに通知する。【選択図】図１
2014207588.tif 000002
【特許請求の範囲】
【請求項１】
複数の基地局と複数の通信端末とを含む通信システムであって、
前記通信端末は、
当該通信端末と通信中の基地局である所望基地局から受信した参照信号に基づいて所望チャネル行列を演算し、
当該通信端末への干渉波の電力が最も大きい基地局である強干渉基地局から受信した参照信号に基づいて干渉チャネル行列を演算し、
前記所望チャネル行列および前記干渉チャネル行列を、上りメッセージにより、前記所望基地局に通知する
ことを特徴とする通信システム。
【請求項２】
複数の基地局と複数の通信端末と基地局管理装置とを含む通信システムであって、
第１通信端末は、
当該第１通信端末と通信中の基地局である第１基地局から受信した参照信号に基づいて第１所望チャネル行列を演算し、
前記第１所望チャネル行列を、上りメッセージにより、前記第１基地局に通知し、
第２通信端末は、
当該第２通信端末と通信中の基地局である第２基地局から受信した参照信号に基づいて第２所望チャネル行列を演算し、
当該第２通信端末への干渉波の電力が最も大きい基地局である前記第１基地局から受信した参照信号に基づいて第２干渉チャネル行列を演算し、
前記第２所望チャネル行列および前記第２干渉チャネル行列を、上りメッセージにより、前記第２基地局に通知し、
前記第２基地局は、前記基地局管理装置に前記第２干渉チャネル行列を通知し、
前記基地局管理装置は、前記第２干渉チャネル行列を前記第１基地局に通知し、
前記第１基地局は、前記第１所望チャネル行列および前記第２干渉チャネル行列に基づいて送信ウェイトを演算する
ことを特徴とする通信システム。
【請求項３】
請求項２に記載の通信システムにおいて、
前記第１基地局は、
前記第１所望チャネル行列および前記第２干渉チャネル行列に直交信号を乗算して拡張チャネル行列を演算し、
前記拡張チャネル行列に基づいて共分散行列を演算し、
前記共分散行列に基づいて前記送信ウェイトを演算する
ことを特徴とする通信システム。
【請求項４】
請求項３に記載の通信システムにおいて、前記直交信号は、レイヤー分以上の長さを有することを特徴とする通信システム。
【請求項５】
複数の基地局と複数の通信端末とを含む通信システムにおける通信制御方法であって、
前記通信端末が、
当該通信端末と通信中の基地局である所望基地局から参照信号を受信するステップと、
前記所望基地局から受信した参照信号に基づいて所望チャネル行列を演算するステップと、
当該通信端末への干渉波の電力が最も大きい基地局である強干渉基地局から参照信号を受信するステップと、
前記強干渉基地局から受信した参照信号に基づいて干渉チャネル行列を演算するステップと、
前記所望チャネル行列および前記干渉チャネル行列を、上りメッセージにより、前記所望基地局に通知するステップと
を含む通信制御方法。
【発明の詳細な説明】
【技術分野】
【０００１】
本発明は、ＭＩＭＯ（Multiple Input Multiple Output）通信が可能な通信システムおよび当該通信システムにおける通信制御方法に関するものである。
【背景技術】
【０００２】
３ＧＰＰ（Third Generation Partnership Project）により規格化されているＬＴＥ（Long Term Evolution）では、ＣｏＭＰ（Coordinated Multi-Point transmission/reception：セル間協調送受信）技術が検討されている。ＣｏＭＰ技術とは、基地局が、他セルで通信している通信端末に対してヌルを向けることにより干渉を抑圧する技術である。
【０００３】
ＣｏＭＰ技術においては、通信端末は、通信中の基地局（以下「所望基地局」という）以外の周囲の基地局から受信するＣＳＩ（Channel State Information）参照信号から、最も干渉電力の大きい基地局（以下「強干渉基地局」という）を判定し、所望基地局に通知する。
【０００４】
図６に、ＬＴＥにおける８レイヤー分のＣＳＩ参照信号のマッピングの一例を示す（非特許文献１参照）。図６は、横軸が時間、縦軸が周波数を示す。横軸は、１目盛りが１シンボルを表し、縦軸は、１目盛りが１サブキャリアを表す。図６に示すマッピングの例においては、２つのアンテナポート（例えば、アンテナポート１５、１６）で、同一のリソース・エレメントにＣＳＩ参照信号が配置されている。したがって、ＣＳＩ参照信号は、２つのアンテナポート毎に直交している。ＣＳＩ参照信号の時間方向の長さは２シンボルである。
【０００５】
ＣｏＭＰ技術においては、協調ビームフォーミングにより、他セルで通信している通信端末に対する与干渉を低減するように、他セルで通信している通信端末に対してヌルを向けるようにビームを形成する。
【先行技術文献】
【非特許文献】
【０００６】
【非特許文献１】3GPP TS 36.211 V10.4.0 “Physical Channels and Modulation”
【発明の概要】
【発明が解決しようとする課題】
【０００７】
しかしながら、通信端末が、強干渉基地局から受信したＣＳＩ参照信号に関する情報をどのように強干渉基地局にフィードバックするかが規定されていない。
【０００８】
また、ＣＳＩ参照信号の配置されているシンボル数が少ないため、他レイヤーとの相関が高くなり、他レイヤーに精度良くヌルを向けることができない場合があるという問題がある。
【０００９】
したがって、かかる点に鑑みてなされた本発明の目的は、通信端末が、強干渉基地局から受信した参照信号に関する情報を強干渉基地局にフィードバックする方法を示す通信システムおよび通信制御方法を提供することにある。
【課題を解決するための手段】
【００１０】
上記課題を解決するため、本発明に係る通信システムは、複数の基地局と複数の通信端末とを含む通信システムであって、前記通信端末は、当該通信端末と通信中の基地局である所望基地局から受信した参照信号に基づいて所望チャネル行列を演算し、当該通信端末への干渉波の電力が最も大きい基地局である強干渉基地局から受信した参照信号に基づいて干渉チャネル行列を演算し、前記所望チャネル行列および前記干渉チャネル行列を、上りメッセージにより、前記所望基地局に通知することを特徴とする。
【００１１】
また、上記課題を解決するため、本発明に係る通信システムは、複数の基地局と複数の通信端末と基地局管理装置とを含む通信システムであって、第１通信端末は、当該第１通信端末と通信中の基地局である第１基地局から受信した参照信号に基づいて第１所望チャネル行列を演算し、前記第１所望チャネル行列を、上りメッセージにより、前記第１基地局に通知し、第２通信端末は、当該第２通信端末と通信中の基地局である第２基地局から受信した参照信号に基づいて第２所望チャネル行列を演算し、当該第２通信端末への干渉波の電力が最も大きい基地局である前記第１基地局から受信した参照信号に基づいて第２干渉チャネル行列を演算し、前記第２所望チャネル行列および前記第２干渉チャネル行列を、上りメッセージにより、前記第２基地局に通知し、前記第２基地局は、前記基地局管理装置に前記第２干渉チャネル行列を通知し、前記基地局管理装置は、前記第２干渉チャネル行列を前記第１基地局に通知し、前記第１基地局は、前記第１所望チャネル行列および前記第２干渉チャネル行列に基づいて送信ウェイトを演算することを特徴とする。
【００１２】
また、本発明に係る通信システムにおいて、前記第１基地局は、前記第１所望チャネル行列および前記第２干渉チャネル行列に直交信号を乗算して拡張チャネル行列を演算し、前記拡張チャネル行列に基づいて共分散行列を演算し、前記共分散行列に基づいて前記送信ウェイトを演算することが好ましい。
【００１３】
また、本発明に係る通信システムにおいて、前記直交信号は、レイヤー分以上の長さを有することが好ましい。
【００１４】
また、上記課題を解決するため、本発明に係る通信制御方法は、複数の基地局と複数の通信端末とを含む通信システムにおける通信制御方法であって、前記通信端末が、当該通信端末と通信中の基地局である所望基地局から参照信号を受信するステップと、前記所望基地局から受信した参照信号に基づいて所望チャネル行列を演算するステップと、当該通信端末への干渉波の電力が最も大きい基地局である強干渉基地局から参照信号を受信するステップと、前記強干渉基地局から受信した参照信号に基づいて干渉チャネル行列を演算するステップと、前記所望チャネル行列および前記干渉チャネル行列を、上りメッセージにより、前記所望基地局に通知するステップとを含む。
【発明の効果】
【００１５】
本発明によれば、通信端末が、強干渉基地局から受信した参照信号に関する情報を強干渉基地局にフィードバックする方法を示すことができる。
【図面の簡単な説明】
【００１６】
【図１】本発明の一実施形態に係る通信システムの概略図である。
【図２】本発明の一実施形態に係る基地局の概略ブロック図である。
【図３】本発明の一実施形態に係る参照信号に乗算する直交信号の例である。
【図４】本発明の一実施形態に係る通信端末の概略ブロック図である。
【図５】本発明の一実施形態に係る通信システムの動作を示すシーケンス図である。
【図６】ＬＴＥにおける８レイヤー分のＣＳＩ参照信号のマッピングの一例を示す図である。
【発明を実施するための形態】
【００１７】
以下、本発明に係る実施形態について、図面を参照して説明する。
【００１８】
図１は、本発明の一実施形態に係る通信システムの概略図である。通信システム１０は、複数の基地局１００（１００ａおよび１００ｂ）と、複数の通信端末２００（２００ａおよび２００ｂ）と、基地局管理装置３００とを含む。以下、基地局１００ａと基地局１００ｂとに共通する内容を説明する場合は、単に基地局１００と記載する。また、通信端末２００ａと通信端末２００ｂとに共通する内容を説明する場合は、単に通信端末２００と記載する。
【００１９】
なお、図１においては、基地局１００が２台、通信端末２００が２台の場合を示しているが、これは一例であり、基地局１００は３台以上であってもよい。また、通信端末２００も３台以上であってもよい。
【００２０】
通信システム１０は、ＬＴＥを採用する通信システムである。基地局管理装置３００は、複数の基地局１００の動作を管理する。基地局管理装置３００は、例えば、集中基地局であり、光ファイバなどによって基地局１００と接続される。
【００２１】
本実施形態においては、図１に示すように、通信端末２００ａは、基地局１００ａのセル内に位置し、基地局１００ａと通信を行っているものとする。また、通信端末２００ａにとって、最も干渉電力が大きい周辺の基地局は、基地局１００ｂであるものとする。したがって、本実施形態においては、通信端末２００ａにとって、基地局１００ａが所望基地局であり、基地局１００ｂが強干渉基地局である。
【００２２】
同様に、本実施形態においては、通信端末２００ｂは、基地局１００ｂのセル内に位置し、基地局１００ｂと通信を行っているものとする。また、通信端末２００ｂにとって、最も干渉電力が大きい周辺の基地局は、基地局１００ａであるものとする。したがって、本実施形態においては、通信端末２００ｂにとって、基地局１００ｂが所望基地局であり、基地局１００ａが強干渉基地局である。
【００２３】
図２は、本発明の一実施形態に係る基地局の概略ブロック図である。
【００２４】
基地局１００は、通信部１１０および制御部１２０を備える。制御部１２０は、チャネル行列拡張部１２１、共分散行列演算部１２２およびウェイト演算部１２３を備える。以下、図２の基地局は、図１の基地局１００ａであるものとして説明する。
【００２５】
通信部１１０は、複数のアンテナから構成されるアダプティブアレーアンテナを介して、無線通信により通信端末２００ａとデータ（無線信号）を送受信する。
【００２６】
通信部１１０は、受信においては、受信した無線信号をダウンコンバートしてベースバンド信号に変換し、ＡＤ変換やフーリエ変換などの処理を行う。また、通信部１１０は、送信においては、制御部１２０から受け取った送信データに逆フーリエ変換やＤＡ変換などの処理を行い、ＤＡ変換後のベースバンド信号をアップコンバートして送信用の無線信号を生成する。
【００２７】
制御部１２０は、基地局１００の各機能ブロックをはじめとして基地局１００の全体を制御及び管理している。制御部１２０は、ＣＰＵ（中央処理装置）等の任意の好適なプロセッサ上で実行されるソフトウェアとして構成したり、処理ごとに特化した専用のプロセッサ（例えばＤＳＰ（デジタルシグナルプロセッサ））によって構成したりすることもできる。
【００２８】
チャネル行列拡張部１２１は、数１の式に示すように、通信端末２００ａから直接取得したチャネル行列、ならびに、通信端末２００ｂから、基地局１００ｂおよび基地局管理装置３００を介して取得したチャネル行列に、図３に示す直交信号wを乗算する。直交信号ｗは、図３に示すようにレイヤー分以上の長さを有する。
【００２９】
ここで、通信端末２００ａから直接取得したチャネル行列とは、通信端末２００ａが、通信中の基地局１００ａから受信するＣＳＩ参照信号から推定したチャネル行列を、基地局１００ａが通信端末２００ａから直接取得したチャネル行列である。以後、このような、通信端末２００が、通信中の基地局１００から受信するＣＳＩ参照信号から推定したチャネル行列のことを、「所望チャネル行列」という。
【００３０】
また、通信端末２００ｂから、基地局１００ｂおよび基地局管理装置３００を介して取得したチャネル行列とは、通信端末２００ｂが、強干渉基地局１００ａから受信するＣＳＩ参照信号から推定したチャネル行列を、基地局１００ａが、通信端末２００ｂから、基地局１００ｂおよび基地局管理装置３００を介して取得したチャネル行列である。以後、このような、通信端末２００が、強干渉基地局１００から受信するＣＳＩ参照信号から推定したチャネル行列のことを、「干渉チャネル行列」という。
【００３１】
図３は、通信端末２００が２本のアンテナ（アンテナ１、アンテナ２）を有する場合の例を示し、ＨＤ１（ｐ，１）は、通信端末２００ａが推定したアンテナ１における所望チャネル行列、ＨＤ１（ｐ，２）は、通信端末２００ａが推定したアンテナ２における所望チャネル行列を示す。また、ＨＩ２（ｐ，１）は、通信端末２００ｂが推定したアンテナ１における干渉チャネル行列、ＨＩ２（ｐ，２）は、通信端末２００ｂが推定したアンテナ２における干渉チャネル行列を示す。
【００３２】
図３に示すように、ＨＯ（ｐ）は、添え字「Ｏ」が０〜３の値をとり、Ｈ０（ｐ）〜Ｈ３（ｐ）が、それぞれ、ＨＤ１（ｐ，１）、ＨＤ１（ｐ，２）、ＨＩ２（ｐ，１）、および、ＨＩ２（ｐ，２）に対応する。
【００３３】
【数１】
2014207588.tif 000003
ここで、ｂＯは直交信号ｗが乗算されたチャネル行列、pはアンテナポートである。以下、直交信号が乗算されたチャネル行列ｂｏのことを「拡張チャネル行列」という。
【００３４】
共分散行列演算部１２２は、数２の式に示すように、拡張チャネル行列ｂＯから、共分散行列を演算する。
【００３５】
【数２】
2014207588.tif 000004
ここで、ＲＸＸは共分散行列、Ｎは熱雑音、Ｉは単位行列である。また、添え字Ｈは複素共役転置を表す。
【００３６】
ウェイト演算部１２３は、数３の式に示すように、通信端末２００ａのアンテナ１にビームを向けたアダプティブアレーの送信ウェイトを、チャネル行列と共分散行列とから演算する。また、ウェイト演算部１２３は、数４の式に示すように、通信端末２００ａのアンテナ２に向けたアダプティブアレーの送信ウェイトを、チャネル行列と共分散行列とから演算する。なお、数３および数４の式によって演算された送信ウェイトを用いることにより、通信端末２００ｂにはヌルが向けられる。
【００３７】
【数３】
2014207588.tif 000005
【数４】
2014207588.tif 000006
ここで、ＷＤは、送信ウェイトである。
【００３８】
図４は、本発明の一実施形態に係る通信端末の概略ブロック図である。
【００３９】
通信端末２００は、通信部２１０、制御部２２０および記憶部２３０を備える。制御部２２０は、干渉計測部２２１およびチャネル推定部２２２を備える。以下、図４の通信端末は、図１の通信端末２００ａであるものとして説明する。
【００４０】
通信部２１０は、複数のアンテナから構成されるアダプティブアレーアンテナを介して、無線通信により基地局１００ａとデータ（無線信号）を送受信する。
【００４１】
通信部２１０は、受信においては、受信した無線信号をダウンコンバートしてベースバンド信号に変換し、ＡＤ変換やフーリエ変換などの処理を行う。また、通信部２１０は、送信においては、制御部２２０から受け取った送信データに逆フーリエ変換やＤＡ変換などの処理を行い、ＤＡ変換後のベースバンド信号をアップコンバートして送信用の無線信号を生成する。
【００４２】
制御部２２０は、通信端末２００の各機能ブロックをはじめとして通信端末２００の全体を制御及び管理している。制御部２２０は、ＣＰＵ等の任意の好適なプロセッサ上で実行されるソフトウェアとして構成したり、処理ごとに特化した専用のプロセッサ（例えばＤＳＰ）によって構成したりすることもできる。
【００４３】
干渉計測部２２１は、通信中の基地局１００ａ以外の基地局から受信したＣＳＩ参照信号から、干渉波の電力を計測する。
【００４４】
チャネル推定部２２２は、数５の式に示すように、所望基地局である基地局１００ａから受信したＣＳＩ参照信号と、既知のＣＳＩ参照信号とから所望チャネル行列を演算する。
【００４５】
【数５】
2014207588.tif 000007
ここで、ＨＤ１は所望チャネル行列、ａは受信したＣＳＩ参照信号、ｉｄｅａｌａは既知のＣＳＩ参照信号、ｋは通信端末のアンテナ番号である。また、ｌ′′については、非特許文献１の6.10.5 “CSI reference signals”を参照。
【００４６】
チャネル推定部２２２は、数５と同様の式により、強干渉基地局である基地局１００ｂから受信したＣＳＩ参照信号と、既知のＣＳＩ参照信号とから干渉チャネル行列ＨＩ１を演算する。
【００４７】
記憶部２３０は、既知のＣＳＩ参照信号を記憶している。
【００４８】
図５に示すシーケンス図を参照しながら、本発明の一実施形態に係る通信システム１０の処理について説明する。
【００４９】
なお、前述したように、本実施形態においては、通信端末２００ａにとっては、基地局１００ａが所望基地局であり、基地局１００ｂが強干渉基地局であるものとする。また、通信端末２００ｂにとっては、基地局１００ｂが所望基地局であり、基地局１００ａが強干渉基地局であるものとする。
【００５０】
基地局管理装置３００は、基地局１００ａおよび基地局１００ｂに対し、干渉波測定指示を通知する（Ｓ１０１）。
【００５１】
基地局１００ａは、通信端末２００ａに干渉波測定指示を通知する。この干渉波測定指示には、通信端末２００ａにとって強干渉基地局である基地局１００ｂが、どのマッピングでＣＳＩ参照信号を送信しているかの情報が含まれている。同様に、基地局１００ｂは、通信端末２００ｂに干渉波測定指示を通知する（Ｓ１０２）。
【００５２】
基地局管理装置３００は、基地局１００ａおよび基地局１００ｂに対し、ＣＳＩ参照信号の送信指示をする。
【００５３】
通信端末２００ａの干渉計測部２２１は、周辺の基地局からの干渉波を計測する。同様に、通信端末２００ｂの干渉計測部２２１は、周辺の基地局からの干渉波を計測する（Ｓ１０４）。
【００５４】
通信端末２００ａは、基地局１００ｂから受信した干渉波の電力が最も大きいと判定し、基地局１００ｂが強干渉基地局であることを基地局１００ａに上りメッセージで通知する。同様に、通信端末２００ｂは、基地局１００ａから受信した干渉波の電力が最も大きいと判定し、基地局１００ａが強干渉基地局であることを基地局１００ｂに上りメッセージで通知する（Ｓ１０５）。
【００５５】
基地局１００ａは、通信端末２００ａにとって強干渉基地局が１００ｂであることを基地局管理装置３００に通知する。同様に、基地局１００ｂは、通信端末２００ｂにとって強干渉基地局が１００ａであることを基地局管理装置３００に通知する（Ｓ１０６）。
【００５６】
基地局管理装置３００は、基地局１００ａおよび基地局１００ｂから取得した強干渉基地局の情報に基づいてＣｏＭＰセットを決定、すなわちどの基地局にどのレイヤーで送信させるかを決定する（Ｓ１０７）。
【００５７】
基地局管理装置３００は、基地局１００ａおよび基地局１００ｂに対し、ＣＳＩ参照信号の送信指示を通知する（Ｓ１０８）。
【００５８】
基地局１００ａは、基地局１００ａおよび基地局１００ｂがどの配置でＣＳＩ参照信号を送信するかについての情報を通信端末２００ａに通知する。同様に、基地局１００ｂは、基地局１００ａおよび基地局１００ｂがどの配置でＣＳＩ参照信号を送信するかについての情報を通信端末２００ｂに通知する（Ｓ１０９）。
【００５９】
基地局１００ａおよび基地局１００ｂは、ＣＳＩ参照信号を送信する（Ｓ１１０）。ここで、基地局１００ａが送信するＣＳＩ参照信号は、通信端末２００ａにとっては所望波であり、通信端末２００ｂにとっては干渉波である。また、基地局１００ｂが送信するＣＳＩ参照信号は、通信端末２００ｂにとっては所望波であり、通信端末２００ａにとっては干渉波である。
【００６０】
通信端末２００ａのチャネル推定部２２２は、基地局１００ａから受信するＣＳＩ参照信号に基づいて所望チャネル行列ＨＤ１を演算し、また、基地局１００ｂから受信するＣＳＩ参照信号に基づいて干渉チャネル行列ＨＩ１を演算する。同様に、通信端末２００ｂのチャネル推定部２２２は、基地局１００ｂから受信するＣＳＩ参照信号に基づいて所望チャネル行列ＨＤ２を演算し、また、基地局１００ａから受信するＣＳＩ参照信号に基づいて干渉チャネル行列ＨＩ２を演算する（Ｓ１１１）。
【００６１】
通信端末２００ａは、所望チャネル行列ＨＤ１および干渉チャネル行列ＨＩ１を基地局１００ａに上りメッセージで通知する。同様に、通信端末２００ｂは、所望チャネル行列ＨＤ２および干渉チャネル行列ＨＩ２を基地局１００ｂに上りメッセージで通知する（Ｓ１１２）。
【００６２】
基地局１００ａは、通信端末２００ａから受信した干渉チャネル行列ＨＩ１を基地局管理装置３００に通知する。同様に、基地局１００ｂは、通信端末２００ｂから受信した干渉チャネル行列ＨＩ２を基地局管理装置３００に通知する（Ｓ１１３）。
【００６３】
基地局管理装置３００は、基地局１００ａから受信した干渉チャネル行列ＨＩ１を基地局１００ｂに通知する。また、基地局管理装置３００は、基地局１００ｂから受信した干渉チャネル行列ＨＩ２を基地局１００aに通知する（Ｓ１１４）。
【００６４】
基地局１００ａは、通信端末２００ａから直接取得した所望チャネル行列ＨＤ１、ならびに、通信端末２００ｂから、基地局１００ｂおよび基地局管理装置３００を介して取得した干渉チャネル行列ＨＩ２に直交信号を乗算して拡張チャネル行列を演算し、当該拡張チャネル行列に基づいて共分散行列および送信ウェイトを演算する。同様に、基地局１００ｂは、通信端末２００ｂから直接取得した所望チャネル行列ＨＤ２、ならびに、通信端末２００ａから、基地局１００ａおよび基地局管理装置３００を介して取得した干渉チャネル行列ＨＩ１に直交信号を乗算して拡張チャネル行列を演算し、当該拡張チャネル行列に基づいて共分散行列および送信ウェイトを演算する（Ｓ１１５）。
【００６５】
このように、本実施形態によれば、基地局１００ａ（１００ｂ）は、通信中の通信端末２００ａ（２００ｂ）から所望チャネル行列を受け取り、通信端末２００ｂ（２００ａ）から、強干渉基地局１００ｂ（１００ａ）および基地局管理装置３００を介して干渉チャネル行列を受け取り、当該所望チャネル行列および当該干渉チャネル行列に基づいて、アダプティブアレーの送信ウェイトを演算することにより、他セルで通信している通信端末２００ｂ（２００ａ）に対してヌルを向けるようにビームフォーミングをすることができる。
【００６６】
また、本実施形態によれば、チャネル行列拡張部１２１が、所望チャネル行列および干渉チャネル行列に直交信号wを乗算して拡張チャネル行列を演算し、共分散行列演算部１２２が、当該拡張チャネル行列を用いて共分散行列を演算し、ウェイト演算部１２３が、当該共分散行列を用いてアダプティブアレーの送信ウェイトを演算することにより、ＣＳＩ参照信号のシンボル数が少なくても、他セルで通信している通信端末２００ｂ（２００ａ）に対してヌルを向けるようにビームフォーミングをすることができる。
【００６７】
本発明を諸図面や実施例に基づき説明してきたが、当業者であれば本開示に基づき種々の変形や修正を行うことが容易であることに注意されたい。従って、これらの変形や修正は本発明の範囲に含まれることに留意されたい。
【符号の説明】
【００６８】
１０  通信システム
１００  基地局
１１０  通信部
１２０  制御部
１２１  チャネル行列拡張部
１２２  共分散行列演算部
１２３  ウェイト演算部
２００  通信端末
２１０  通信部
２２０  制御部
２２１  干渉計測部
２２２  チャネル推定部
２３０  記憶部
３００  基地局管理装置
【図１】
2014207588.tif 000008
【図２】
2014207588.tif 000009
【図３】
2014207588.tif 000010
【図４】
2014207588.tif 000011
【図５】
2014207588.tif 000012
【図６】
2014207588.tif 000013